(57)【要約】      （修正有）【課題】電動工具を必要とすることなく、コンクリート板部材に対する嵌め込み固定の現場作業を簡単且つ容易に行うことを可能とする床スリーブを提供する。【解決手段】床スリーブ１０は、建物に構築する床の下面位置に配置するコンクリート板部材２４に形成したスリーブ配置穴２６に嵌め込み固定され、コンクリート板部材２４の上に対するコンクリート２６の打設で形成する床を貫通して配置する。床スリーブ１０はスリーブ本体１２の下部外周に複数の嵌合ブレード部材１８を片持ち固定している。嵌合ブレード部材１８は、スリーブ本体１２の下端外周に下部を固定すると共に上部側を山形に屈曲して先端をスリーブ本体１２の外周に押圧接触しており、コンクリート床部材２４のスリーブ配置穴２６にスリーブ本体１２の下部の山形の嵌合ブレード部材１８を押し込みにより嵌め入れて抜け止め固定する。【選択図】図４
0003201881.tif 000002
【実用新案登録請求の範囲】
【請求項１】
建物に構築する床の下面位置に配置するコンクリート板部材に形成したスリーブ配置穴に嵌め込み固定され、前記コンクリート板部材の上に対するコンクリートの打設で形成する前記床を貫通して配置する床スリーブに於いて、
配管を挿通する円筒状のスリーブ本体の下端外周に下部を固定すると共に上部側を山形に屈曲して先端を前記スリーブ本体の外周に押圧接触し、前記スリーブ配置穴に前記スリーブ本体の下部を嵌め入れた状態で支持固定する複数の嵌合ブレード部材を設けたことを特徴とする床スリーブ。
【請求項２】
請求項１記載の床スリーブに於いて、前記嵌合ブレード部材は、ばね性を備えた金属プレート部材であり、前記金属プレート部材の板厚を概ね０．５ミリメートルとしたことを特徴とする床スリーブ。
【請求項３】
請求項１記載の床スリーブに於いて、更に、前記スリーブ配置穴に対する前記スリーブ本体下側の嵌め込み位置を決める位置決め部材を、前記スリーブ本体外周の嵌合ブレード部材の上側に設けたことを特徴とする床スリーブ。
【請求項４】
請求項１記載の床スリーブユニットに於いて、前記スリーブ本体の上部に着脱自在な止水スリーブを設け、前記スリーブ本体と前記止水スリーブの境界を前記止水スリーブ側に超える位置までコンクリートを打設して前記建物の床を形成し、コンクリートが固まって前記床を形成した後に前記止水スリーブを取り外す止水構造を設けたことを特徴とする床スリーブ。
【考案の詳細な説明】
【技術分野】
【０００１】
本考案は、建物に構築する床の下面位置に配置するコンクリート板部材のスリーブ配置穴に嵌め込み固定され、コンクリートの打設で構築する床を貫通して配置する床スリーブに関する。
【背景技術】
【０００２】
従来、ビルやマンション等の建築構造物に設置される水回りの配管設備にあっては、鉄筋構造物に対し床を構築する仮枠を設置して鉄筋を配筋し、仮枠の所定位置に必要な数の床スリーブを固定し、この状態でコンクリートを打設し、コンクリートが固まった後に、床スリーブに配管を通し、床スリーブの床面開口部にアングル材を使用した配管固定部を現場作業により設けて配管を支持固定している。
【０００３】
しかし、仮枠に複数の床スリーブを設置する場合、現場作業として床スリーブの配置位置を墨出しする作業が必要であり、手間と時間がかかることから、図９に示すように、建物に構築する床の仮面位置に配置するコンクリート板部材に床スリーブを固定してコンクリートを打設して床を形成するようにしている。
【０００４】
図７（Ａ）はコンクリート板部材に床スリーブの組立分解状態を示しており、建物に打築する床の下面となる位置にコンクリート板部材１００を配置し、コンクリート板部材１００に形成しているスリーブ配置穴１０２に対し床スリーブ１０４を上から嵌め入れて固定する。
【０００５】
床スリーブ１０４は円筒形のスリーブ本体１０６の外周下部にＬ形の位置決め部材１０８を溶接等で固定しており、スリーブ本体１０６の下端から位置決め部材１０８までの高さがコンクリート板部材１００の厚み対応している。スリーブ本体１０６の下部をコンクリート板部材１００のスリーブ配置穴１０２に嵌め入れて位置決め部材１０８の当接で位置決めし、この状態で位置決め部材１０８の通し穴に対応したコンクリート板部材１００の上からドリル等の電動工具を用いて下穴を空け、そこにコンクリート固定用のビス１１０をねじ込んで固定支持している。
【０００６】
続いて図７（Ｂ）に示すように、コンクリート１１２をスリーブ本体１０６の上部を残した所定位置まで打設し、コンクリート１１２が固まった後に、図７（Ｃ）に示すように、サンダー等の電動工具を使用して、スリーブ本体１０６の上部１０６ａを切り取り、内部に配管を通して支持固定するようにしている。
【先行技術文献】
【特許文献】
【０００７】
【特許文献１】特開平６−３０６９７６号公報
【特許文献２】実用新案登録第３１８６３４７号公報
【考案の概要】
【考案が解決しようとする課題】
【０００８】
しかしながら、このような従来の床スリーブにあっては、図７（Ａ）に示すように、コンクリート板部材１００のスリーブ配置穴１０２に床スリーブ１０４を嵌め込み固定する場合に、電動工具を使用してビス１１０をねじ込むための下穴を空ける作業が必要となり、電動工具を用いたスペース的に制約のある現場での作業となり、そのために手間と時間がかかるという問題がある。
【０００９】
また、図７（Ｃ）に示すように、打設したコンクリートが固まった後に、電動工具を使用して床スリーブ１０６の床面から上に飛び出している部分を切り取る作業が必要となり、同様に、電動工具を用いたスペース的に制約のある現場での作業となり、そのために手間と時間がかかるという問題がある。
【００１０】
本考案は、電動工具を必要とすることなく、コンクリート板部材に対する嵌め込み固定の現場作業を簡単且つ容易に行うことを可能とする床スリーブを提供することを目的とする。
【課題を解決するための手段】
【００１１】
（床スリーブ）
本考案は、建物に構築する床の下面位置に配置するコンクリート板部材に形成したスリーブ配置穴に嵌め込み固定され、コンクリート板部材の上に対するコンクリートの打設で形成する床を貫通して配置する床スリーブに於いて、
配管を挿通する円筒状のスリーブ本体の下端外周に下部を固定すると共に上部側を山形に屈曲して先端をスリーブ本体の外周に押圧接触し、スリーブ配置穴にスリーブ本体の下部を嵌め入れた状態で支持固定する複数の嵌合ブレード部材を設けたことを特徴とする。
【００１２】
（嵌合ブレード部材）
嵌合ブレード部材は、ばね性を備えた金属プレート部材であり、金属プレート部材の板厚を概ね０．５ミリメートルとする。
属プレート部材の板厚を概ね０．５ミリメートルとする。
【００１３】
（スリーブの位置決め）
本考案の床スリーブは、更に、スリーブ配置穴に対するスリーブ本体下側の嵌め込み位置を決める位置決め部材を、スリーブ本体外周の嵌合ブレード部材の上側に設ける。
【００１４】
（スリープ上側の止水構造）
本考案の床スリーブは、スリーブ本体の上部に着脱自在な止水スリーブを設け、スリーブ本体と止水スリーブの境界を止水スリーブ側に超える位置までコンクリートを打設して建物の床を形成し、コンクリートが固まった後に止水スリーブを取り外す止水構造を設ける。
【考案の効果】
【００１５】
（基本的な効果）
本考案は、建物に構築する床の下面位置に配置するコンクリート板部材に形成したスリーブ配置穴に嵌め込み固定され、コンクリート板部材の上に対するコンクリートの打設で形成する床を貫通して配置する床スリーブに於いて、配管を挿通する円筒状のスリーブ本体の下端外周に下部を固定すると共に上部側を山形に屈曲して先端をスリーブ本体の外周に押圧接触し、スリーブ配置穴にスリーブ本体の下部を嵌め入れた状態で支持固定する複数の嵌合ブレード部材を設けるようにしたため、現場に設置しているコンクリート板部材のスリーブ配置穴に、床スリーブにおけるスリーブ本体の下部外側に設けている複数の嵌合ブレード部材を押し込んで嵌め入れることで、嵌合ブレード部材の山形の部分がスリーブ配置穴との間の隙間に押し潰されて入り込むことで強固に支持固定され、電動工具により固定用のビス下穴を空ける現場作業を不要とし、床スリーブをコンクリート板部材に取付ける作業を容易にして作業効率を高め、作業工数を低減によりコストを低減可能とする。
【００１６】
（嵌合ブレード部材による効果）
また、嵌合ブレード部材は、ばね性を備えた金属プレート部材であり、金属プレート部材の板厚を概ね０．５ミリメートルとすることで、スリーブ本体とスリーブ配置穴との間に形成されるリング状の隙間に対し、嵌合プレート部材の山形部分が押し込みにより押し潰されて入り込み、押し潰された山形部分のばね性による反力で十分な嵌合強度が得られ、確実な支持固定を可能とする。
【００１７】
（スリーブの位置決めによる効果）
また、本考案の床スリーブは、更に、スリーブ配置穴に対するスリーブ本体下側の嵌め込み位置を決める位置決め部材を、スリーブ本体外周の嵌合ブレード部材の上側に設けるようにしたため、コンクリート板部材のスリーブ配置穴に床スリーブの嵌合ブレード部材を押し込みにより嵌め入れる場合、どの程度押し込みにより嵌め入れるかを判断することなく、位置決め部材が当たるまで嵌め入れればよく、コンクリート板部材に対する床スリーブの嵌め込み固定を簡単且つ確実に行うことを可能とする。
【００１８】
（スリープ上側の止水構造による効果）
また、本考案の床スリーブは、スリーブ本体の上部に着脱自在な止水スリーブを設け、スリーブ本体と止水スリーブの境界を止水スリーブ側に超える位置までコンクリートを打設して建物の床を形成し、コンクリートが固まった後に止水スリーブを取り外す止水構造を設けるようにしたため、コンクリート打設が済んだ状態で、コンクリート上面から上方にスリーブ本体の上部に嵌め入れた止水スリーブが飛び出しており、床面に水が溜まっても、コンクリートを貫通している床スリーブ内を通って下の階に水が漏水することを確実に防止し、また、床スリーブに配管を通す場合には、止水スリーブを取り外すだけで良く、従来の電動工具を用いたスリーブ本体の上部の切断作業を不要として作業効率を高め、作業工数を低減によりコストを低減可能とする。
【図面の簡単な説明】
【００１９】
【図１】本考案による床スリーブの実施形態を示した説明図
【図２】嵌合ブレード部材を設けた床スリーブの部分を取り出して示した説明図
【図３】スリーブ本体の上部に設ける止水スリーブを取り外して示した説明図
【図４】コンクリート板部材に床スリーブを嵌め込み固定した状態及びコンクリートを打設した状態を示した説明図
【図５】コンクリートが固まって止水スリーブを取り外した状態を示した説明図
【図６】コンクリート板部材のスリーブ配置穴に対する嵌合ブレード部材による床スリーブの嵌込固定の状態を示した説明図
【図７】従来のコンクリート板部材に対する床スリーブの固定とコンクリート打設による床の構築を示した説明図
【考案を実施するための形態】
【００２０】
［床スリーブユニットの構成］
図１は本考案による床スリーブの実施形態を示した説明図であり、図１（Ａ）は正面を示し、図１（Ｂ）はそのＸ−Ｘ断面を示す。また、図２は嵌合ブレード部材を設けた床スリーブの部分を取り出して示した説明図である。
【００２１】
図１（Ａ）に示すように、本実施形態の床スリーブ１０は、配管を挿通する円筒状のスリーブ本体１２と、スリーブ本体１２の上部に嵌合金具２０により着脱自在に設けた止水スリーブ１４で構成している。
【００２２】
スリーブ本体１２の下側外周の３箇所にはＬ形の位置決め部材１６を溶接等により固定している。また、位置決め部材１６の下側となるスリーブ本体１２の下端部外周の６箇所には、下端部を溶接等により固定した嵌合ブレード部材１８を設けている。
【００２３】
（嵌合ブレード部材）
図１に示すように、嵌合ブレード部材１８は、スリーブ本体１２の下端部外周に下部を固定すると共に上部側を山形に屈曲して先端をスリーブ本体１２の外周に押圧接触させている。嵌合ブレード部材１８の詳細は、図２に示すように、短冊形状のばね性をもつ例えばステンレス製の金属プレート部材を、上部側で頂角が１２０°〜１５０°程度となる山形に屈曲し、下部を溶接等によりスリーブ本体１２の下端に合わせて固着し、山形に屈曲した上部の先端を、スリーブ本体１２の外周面に押圧接触させている。
【００２４】
ここで、スリーブ本体１２の外形を例えば１４６ミリメートルとした場合、スリーブ下端から位置決め部材１６までの高さＨ１は、後述するコンクリート板部材に設けたスリーブ配置穴の深さ、即ちコンクリート板部材の厚さに相当し、例えばＨ１＝１００ミリメートル程度となる。これに対し嵌合ブレード部材１８の高さＨ２は、スリーブ配置穴の深さＨ１により低くおり、例えばＨ２＝４５ミリメートルとなる。
【００２５】
また、嵌合ブレード部材１８の幅Ｗ１は約１５ミリメートルであり、嵌合ブレード部材１８に使用する金属プレート部材の厚さは、概ね０．５ミリメートルとしている。更に、嵌合プレート部材１８の山形のスリーブ外周面からの高さｈは、コンクリート板部材に設けたスリーブ配置穴の内径が例えば１５０ミリメートルとなり、スリーブ本体１２との間に２ミリメートルのリング状の隙間が形成されることから、この隙間より大きい例えば数ミリメートル程度の高さｈとしている。
【００２６】
（止水スリーブ）
図３はスリーブ本体の上部に設ける止水スリーブを取り外して示した説明図であり、図３（Ａ）に平面を示し、図３（Ｂ）に正面を示す。
【００２７】
図３に示すように、止水スリーブ１４は、円筒形のスリーブ本体２２の内部下側の４箇所に金属プレートを用いた嵌合部材２０を溶接等により固定して下方に延在し、先端を内側に曲げており、図１に示すように、スリーブ本体１２の上部に嵌合部材２０により着脱自在に嵌め込むことを可能としている。
【００２８】
止水スリーブ１４は、図１に示した床スリーブ１０をコンクリート板部材のスリーブ配置穴に嵌合した状態でコンクリートを打設して建物の床を構築した場合、床上面に溜まった水がスリーブ本体１２の中を通って下の階に流れ落ちないようにしており、床スリーブ１０に配管を通す作業を行う場合、止水スリーブ１４を取り外すことになる。
【００２９】
（嵌合ブレード部材による床スリーブの取付け固定）
図４はコンクリート板部材に床スリーブを嵌め込み固定した状態及びコンクリートを打設した状態を示した説明図、図５はコンクリートが固まって止水スリーブを取り外した状態を示した説明図、図６はコンクリート板部材のスリーブ配置穴に対する嵌合ブレード部材による床スリーブの嵌込固定の状態を示した説明図である。
【００３０】
建物の床を構築する場合の本考案の床スリーブ１０の取付けは、まず、図４（Ａ）に示すように、構築する床の下面となる位置に、スリーブ配置穴２６を形成したコンクリート板部材２４を仮組みにより設置していることから、コンクリート板部材２４のスリーブ配置穴２６に対し、床スリーブ１０のスリーブ本体１２における下側の嵌合ブレード部材１８を設けた部分を、上から押込み、この押込みを、スリーブ本体１２の外側に固定した位置決め部材１６がコンクリート板部材２４の上面に当って止まるまで行う。
【００３１】
ここで、図２に示したように、スリーブ下端から位置決め部材１６までの高さＨ１は、コンクリート板部材２４の厚みと同じにしており、このため位置決め部材１６がコンクリート板部材２４の上面に当るまで押し込むと、スリーブ下端はコンクリート位置部材２４におけるスリーブ配置穴２６の下面に面一となるように嵌合できる。
【００３２】
図４（Ａ）に示すように、床スリーブ１２を下側からスリーブ配置穴２６に、スリーブ本体１２の下側の嵌合ブレード部材１８を押し込むと、図６に示すように、スリーブ配置穴２６とスリーブ本体１２と間の隙間に、嵌合ブレード部材１８の山形の部分が押し潰されながら嵌り込み、嵌合ブレード部材１８のばね性による反力で山形の登頂部分がスリーブ配置穴２６の内壁に強く押し当てられ、これによりスリーブ配置穴２６に対する６箇所での嵌合ブレード部材１８の介在により、強固に支持固定することができる。
【００３３】
ここで、図６に示す嵌合ブレード部材１８を回し込んで嵌め入れるスリーブ配置穴２６とスリーブ本体１２との間に形成されるリング状の隙間の幅は、例えばスリーブ本体１２の外径を１４６ミリメートルとした場合、スリーブ配置穴２６の内径は１５０ミリメートルとしており、リング状の隙間の幅は２ミリメートルとなり、押し込み前の嵌合プレート部材１８の山形の高さは例えば５ミリメートルであることから、これが押し込みにより２ミリメートルに押し潰されることで、強い反力を生じてスリーブ配置穴２６の内壁に強く押し当てられ、強固に支持固定することができる。
【００３４】
続いて図４（Ｂ）に示すように、コンクリート板部材２４の上にコンクリート２８を打ち込んで建物の床を形成する。この場合、スリーブ本体１２と止水スリーブ１４とを合わせた境界１５を超え、止水スリーブ１４側の所定位置にコンクリート上面２８ａが位置するように、コンクリート２８を打ち込む。
【００３５】
このように打設したコンクリート２８が固まった状況では、各種の現場作業に伴いコンクリート上面２８ａに水が溜まる場合があるが、コンクリート２８に埋設したスリーブ本体１２の上部に止水スリーブ１４を嵌め入れているため、コンクリート上面２８ａに水が溜まっても、止水スリーブ１４によりスリーブ本体１２の内部への流れ込みを阻止し、下の階に対する漏水を確実に防止可能とする。
【００３６】
続いて、コンクリート２８が固まった後に、床スリーブ１０に配管を通して固定支持する場合には、これに先立って図４（Ｂ）に示す止水スリーブ１４を取り外し、図５（Ｃ）に示す本体スリーブ１２をコンクリート２８に埋設した状態とし、この状態でスリーブ本体１２の中に配管を通して支持固定する。このように止水スリーブ１４は取外し可能であることから、従来のようにコンクリート上面から飛び出しているスリーブ先端をサンダー等の電動工具を使用して切断する作業は必要ない。
【００３７】
ここで、スリーブ本体１２から取り外した止水スリーブ１４は、次に行う上の階の天井の構築で使用するスリーブ本体１２の先端に嵌め入れて流用するような使い方をし、止水スリーブ１４を複数の床スリーブ１０で共用することで、コストの低減を可能とする。
【００３８】
［本考案の変形例］
上記の実施形態は、スリーブ本体の上部に止水スリーブを着脱自在に設けているが、止水スリーブを使用しない床スリーブであっても良い。
【００３９】
また、上記の実施形態は、スリーブ本体１２の下端部外周の６箇所に嵌合ブレード部材１８を設けているが、嵌合ブレード部材１８は少なくとも３箇所に設ければよく、必要に応じて３箇所以上の複数個所に設ければ良い。
【００４０】
また、本考案は上記の実施形態に限定されず、その目的と利点を損なうことのない適宜の変形を含み、更に上記の実施形態に示した数値による限定は受けない。
【符号の説明】
【００４１】
１０：床スリーブ
１２：スリーブ本体
１４：止水スリーブ
１６：位置決め部材
１８：嵌合ブレード部材
２０：嵌合ブレード金具
２４：コンクリート板部材
２６：スリーブ配置穴
２８：コンクリート
【図１】
0003201881.tif 000003
【図２】
0003201881.tif 000004
【図３】
0003201881.tif 000005
【図４】
0003201881.tif 000006
【図５】
0003201881.tif 000007
【図６】
0003201881.tif 000008
【図７】
0003201881.tif 000009